(57)【要約】【課題】本体を大型化することなく、持ち運び性及び使い勝手の良い炊飯器を提供する。【解決手段】本体１の下面両側部に、本体を持ち上げるための手掛け用凹部１８ａ，１８ｂがそれぞれ形成され、これら手掛け用凹部１８ａ，１８ｂが、本体１の前後方向に相対的にずれてなる炊飯器において、本体１の下面両側部の手掛け用凹部１８ａ，１８ｂは、側方から見たこれら手掛け用凹部の投影面内で互いの一部が重なり、これら手掛け用凹部が重なる本体の前後方向の範囲内に本体の重心Ｐが位置しており、かつ手掛け用凹部１８ａ，１８ｂが重なる部位のそれぞれの奥行き方向に延びる側壁２２ａ，２２ｂが、水平面内で本体１の重心Ｐ側に互いに傾斜して設けられているものである。【選択図】図３
2015181663.tif 000002
【特許請求の範囲】
【請求項１】
本体の下面両側部に、当該本体を持ち上げるための手掛け用凹部がそれぞれ形成され、これら手掛け用凹部が、前記本体の前後方向に相対的にずれてなる炊飯器において、
前記本体の下面両側部の前記手掛け用凹部は、側方から見たこれら手掛け用凹部の投影面内で互いの一部が重なり、これら手掛け用凹部が重なる前記本体の前後方向の範囲内に前記本体の重心が位置しており、かつ前記手掛け用凹部が重なる部位のそれぞれの奥行き方向に延びる側壁が、水平面内で前記本体の重心側に互いに傾斜して設けられていることを特徴とする炊飯器。
【請求項２】
一方の前記手掛け用凹部の前記側壁の傾斜に沿わせて、電源コードのプラグが差し込まれるインレットを設けたことを特徴とする請求項１記載の炊飯器。
【請求項３】
前記本体の下面両側部の前記手掛け用凹部の頂壁に、それぞれ該手掛け用凹部内に突出する複数のリブを設けたことを特徴とする請求項１又は２記載の炊飯器。
【発明の詳細な説明】
【技術分野】
【０００１】
本発明は、本体の底面両側部に手掛け用凹部を備えた炊飯器に関するものである。
【背景技術】
【０００２】
従来の炊飯器において、本体の底面両側部に手掛け用凹部を設けたものがある（例えば、特許文献１参照）。
【先行技術文献】
【特許文献】
【０００３】
【特許文献１】特開平８−０１０１３８号公報（要約、図１）
【発明の概要】
【発明が解決しようとする課題】
【０００４】
近年、炊飯器は、多機能になり、かつ加熱手段にＩＨコイルを用いるのが主流となっている。そして、このように多機能になり、加熱手段にＩＨコイルを用いたものにあっては、電源基板やこれに実装された素子によって内部構造が複雑化し、手掛け用凹部を設置したい位置に設けることが難しくなってきている。
【０００５】
手掛け用凹部を設置したい位置に設けるためには、その位置に設置スペースを確保する必要があるが、既述したように内部構造が複雑化し、省スペース化は困難なため、手掛け用凹部を設置したい位置に設ける分、本体を大型化せざるを得ない。
【０００６】
本体の大型化を避けるためには、限られたスペースに左右の手掛け用凹部を設置せざるを得ない。その場合、左右の手掛け用凹部は、本体の内部構造の関係で、前後方向でずれた位置に配置せざるを得ない。従って、本体を持ち上げる際に、左右の手掛け用凹部を手探りで探すことになり、使い勝手が悪い。さらに、左右の手掛け用凹部の前後方向のずれによって、左右の手掛け用凹部が本体の重心位置からずれてしまい、持ち運び性が悪くなる。
【０００７】
本発明は前記のような課題を解決するためになされたもので、本体を大型化することなく、持ち運び性及び使い勝手の良い炊飯器を提供することを目的とする。
【課題を解決するための手段】
【０００８】
本発明に係る炊飯器は、本体の下面両側部に、本体を持ち上げるための手掛け用凹部がそれぞれ形成され、これら手掛け用凹部が、本体の前後方向に相対的にずれてなる炊飯器において、本体の下面両側部の手掛け用凹部は、側方から見たこれら手掛け用凹部の投影面内で互いの一部が重なり、これら手掛け用凹部が重なる本体の前後方向の範囲内に本体の重心が位置しており、かつ手掛け用凹部が重なる部位のそれぞれの奥行き方向に延びる側壁が、水平面内で本体の重心側に互いに傾斜して設けられているものである。
【発明の効果】
【０００９】
本発明に係る炊飯器において、本体の下面両側部の手掛け用凹部は、側方から見たこれら手掛け用凹部の投影面内で互いの一部が重なり、これら手掛け用凹部が重なる本体の前後方向の範囲内に本体の重心が位置しており、かつ手掛け用凹部が重なる部位のそれぞれの奥行き方向に延びる側壁が、水平面内で本体の重心側に互いに傾斜して設けられているので、両側の手掛け用凹部に手を差し込むと、水平面内で本体の重心側に傾斜している側壁に手指が当たり、本体の重心に近づく方向に案内される。このため、両側の手掛け用凹部が本体の前後方向に相対的にずれて配置されていても、持ち運ぶ際に、手指の位置が本体の重心側から遠ざかるのを抑制することができ、持ち運び性及び使い勝手が良くなる。
【図面の簡単な説明】
【００１０】
【図１】本発明の実施形態に係る炊飯器の蓋体を開いた状態の斜視図である。
【図２】本発明の実施形態に係る炊飯器の蓋体を開いた状態の側面図である。
【図３】本発明の実施形態に係る炊飯器の下面図である。
【図４】本発明の実施形態に係る炊飯器の底面ケースを上下逆向きにして示す斜視図である。
【図５】本発明の実施形態に係る炊飯器の底面ケースの斜視図である。
【発明を実施するための形態】
【００１１】
以下、図示実施形態に基づき本発明を説明する。なお、以下に示す図面の形態によって本発明が限定されるものではない。また、各図において、同一の構成には同一の符号を付している。
【００１２】
図１は本発明の実施形態に係る炊飯器の蓋体を開いた状態の斜視図である。図２は本発明の実施形態に係る炊飯器の蓋体を開いた状態の側面図である。
【００１３】
図１及び図２に示されるように、本実施形態に係る炊飯器の本体１は、底面ケース９と、底面ケース９に載置されて支持された側面ケース６と、側面ケース６にヒンジ機構を介して取り付けられた蓋体２とを備えている。側面ケース６には、上部に開口部を有し、底部にコイル台（図示せず）が固定された樹脂製の内ケース５が備えられており、内ケース５には、内釜４が出し入れ自在に収容される。コイル台の底部外周には、内釜４を電磁誘導加熱する加熱コイル（図示せず）が配置されている。加熱コイルは、電源基板（図示せず）に実装された駆動部によって高周波電力が供給され、内釜４を電磁誘導加熱する。
【００１４】
内釜４は、その上端にフランジ４ａが形成され、このフランジ４ａが内ケース５への収納時に、内ケース５の開口部の周縁部に載置されて支持される。
【００１５】
蓋体２は、図２で示されるように、上面に操作・表示部２ａを有するとともに、下面に内蓋３を有しており、本体１の後部側において、内ケース５に回動自在に連結されている。また、蓋体２は、側面ケース６に設けたラッチ１９と解除ボタン７とによって開閉される。操作・表示部２ａは、内釜４に投入された米等の調理物に対する炊飯工程等を開始させるためのものである。この操作・表示部２ａは、使用者によって操作されることによって、操作信号を生成し、その操作信号を本体１内に設置されている制御基板（図示せず）に送信する。また、操作・表示部２ａは、炊飯工程の進捗状況の表示、時計表示、及び異常時の異常表示をするものである。
【００１６】
底面ケース９には、図１及び図２に示されるように、その下面両側部に、本体１を持ち上げるための手掛け用凹部１８ａ，１８ｂがそれぞれ形成されている。また、一方（正面から見て左側）の手掛け用凹部１８ａに隣接させて、電源コード８のプラグが差し込まれるインレット１３が設けられている。また、図２に示されるように、インレット１３のコード出口の天面高さａ１を、隣接する手掛け用凹部１８ａの天面高さａ２よりも大きく（ａ１＞ａ２）して異ならせることにより、使用者がインレット１３のコード出口付近を持った時、高さが違うことによる違和感を感じさせることで、誤ってコード出口に手を掛けることを防止している。また、底面ケース９には、前縁部に素子冷却用空気の排気口１７が設けられているとともに、下方に突出する支持部１０が４箇所に設けられている。
【００１７】
底面ケース９について、図３〜図５に基づき、図１及び図２を参照しながらさらに詳述する。図３は本発明の実施形態に係る炊飯器の下面図であり、図面上の上側部分はこの炊飯器の前部であり、下側部分はこの炊飯器の後部である。図４は本発明の実施形態に係る炊飯器の底面ケースを上下逆向きにして示す斜視図である。図５は本発明の実施形態に係る炊飯器の底面ケースの斜視図である。
【００１８】
底面ケース９には、図３及び図４に示されるように、後部に吸気口１６が設けられ、この吸気口１６の内側に、図５に示されるように、ファン１５が設置されている。ファン１５によって、吸気口１６から外気を導入し、底面ケース９内の加熱コイルや電源基板を冷却し、排気口１７から排気される冷却空気の流れを発生させることができる。
【００１９】
ところで、加熱手段にＩＨコイルを用いた炊飯器は、各種のノイズが発生する。中でもＩＨコイルは、高周波電圧によって駆動され、一種の高周波発振コイルとして作用するため、その発振に伴うノイズが問題とされる。このノイズが大きいと、制御ユニットのマイコンに影響を与え、誤作動の原因になったり、炊飯器周辺の外部機器（例えばテレビジョンやパソコンなど）にも悪影響を与える。
【００２０】
そのため、底面ケース９内には、ノイズ対策部品として比較的容量の大きな雑音防止用のコンデンサを搭載したノイズ除去基板１１が設けられており、それによってノイズを吸収できるようにしている。
【００２１】
手掛け用凹部１８ａ，１８ｂは、空きスペースを利用して設置されている。すなわち、手掛け用凹部１８ａ，１８ｂは、図３に示されるように、本体の重心Ｐを通る前後方向の中心軸線２１を挟む両側にて本体１の前後方向に相対的にずれて配置されている。また、側方から見たこれら手掛け用凹部１８ａ，１８ｂの投影面内で互いの一部が重なり、これら手掛け用凹部１８ａ，１８ｂが重なる本体１の前後方向の範囲内に本体の重心Ｐが位置している。さらに、これら手掛け用凹部１８ａ，１８ｂは、側方から見てこれらが重なる部位のそれぞれの奥行き方向に延びる側壁２２ａ，２２ｂが、手掛け用凹部の奥行き寸法ｃ１，ｃ２の全長に亘り、水平面内で本体の重心Ｐ側に互いに傾斜して設けられている。
【００２２】
また、手掛け用凹部１８ａに隣接するインレット１３を、手掛け用凹部１８ａの傾斜に合わせて傾斜させて設置している。
【００２３】
また、本体１の下面両側部の手掛け用凹部１８ａ，１８ｂの頂壁には、それぞれ手掛け用凹部内に突出する複数のリブ２０ａ，２０ｂが設けられている。これらのリブ２０ａ，２０ｂは、手掛け用凹部１８ａ，１８ｂに差し込まれた手指の滑り止めとして機能する。
【００２４】
また、底面ケース９には、図４及び図５に示されるように、内ケース５を取り付けるためのねじボス１２が４箇所に立設されている。
【００２５】
このように、本発明の実施形態に係る炊飯器は、本体１の下面両側部の手掛け用凹部１８ａ，１８ｂにおける側方から見てこれらが重なる部位のそれぞれの奥行き方向に延びる側壁２２ａ，２２ｂが、水平面内で本体の重心Ｐ側に互いに傾斜して設けられている。したがって、これら手掛け用凹部１８ａ，１８ｂに手指を差し込むと、本体の重心Ｐ側に傾斜している側壁２２ａ，２２ｂに手指が当たり、本体の重心Ｐに近づく方向に案内される。このため、両側の手掛け用凹部１８ａ，１８ｂが本体１の前後方向に相対的にずれて配置されていても、持ち運ぶ際に、手指の位置が本体の重心Ｐ側から遠ざかるのを抑制することができ、持ち運び性及び使い勝手が良くなる。また、両側の手掛け用凹部１８ａ，１８ｂの互いの前後方向の位置を空きスペースを無視して無理矢理合わせるような場合と比べて、本体１を大型化する必要がなくなる。
【００２６】
また、本体１の下面両側部の手掛け用凹部１８ａ，１８ｂにおける側方から見てこれらが重なる部位のそれぞれの奥行き方向に延びる側壁２２ａ，２２ｂを、水平面内で本体の重心Ｐ側に互いに傾斜して設けることで、手掛け用凹部の間口ｂ１，ｂ２（図３）を容易に広げることができる。このため、手掛け用凹部１８ａ，１８ｂに手探りでも到達し易くなる。
【００２７】
また、手掛け用凹部１８ａに隣接するインレット１３を、手掛け用凹部１８ａの傾斜に合わせて傾斜させて設置しているので、余分なスペースを設ける必要がなくなって、本体１の大型化を抑制することができる。
【００２８】
また、手掛け用凹部１８ａ，１８ｂの頂壁に、滑り止めとして機能する複数のリブ２０ａ，２０ｂを設けているので、手掛け用凹部１８ａ，１８ｂに差し込まれた手指が滑ることがなく、持ち運び性がさらに良くなり、安全性が向上する。
【符号の説明】
【００２９】
１  本体、２  蓋体、２ａ  操作・表示部、３  内蓋、４  内釜、４ａ  フランジ、５  内ケース、６  側面ケース、７  解除ボタン、８  電源コード、９  底面ケース、１０  支持部、１１  ノイズ除去基板、１２  ねじボス、１３  インレット、１５  ファン、１６  吸気口、１７  排気口、１８ａ，１８ｂ  手掛け用凹部、１９  ラッチ、２０ａ，２０ｂ  リブ、２１  中心軸線、２２ａ，２２ｂ  側壁、ａ１  インレットのコード出口の天面高さ、ａ２  手掛け用凹部の天面高さ、ｂ１，ｂ２  手掛け用凹部の間口、ｃ１，ｃ２  手掛け用凹部の奥行き寸法、Ｐ  本体の重心。
【図１】
2015181663.tif 000003
【図２】
2015181663.tif 000004
【図３】
2015181663.tif 000005
【図４】
2015181663.tif 000006
【図５】
2015181663.tif 000007